(57)【要約】【課題】外かご枠に対して相対移動可能な一対の内かごに取り付けられた室外機から、外方へ向かって排水を漏れることなく導くこと。【解決手段】エレベータの乗りかご１０は、外かご枠１と、外かご枠１内に外かご枠１に対して相対移動可能に設けられた一対の内かご２ａ，２ｂと、各内かご２ａ，２ｂに設けられた室外機４とを備えている。各室外機４から生じる排水は、内かご側配管５ａおよび外かご枠側配管５ｂを介して外かご枠１の下部に設けられた排水タンク７内に導かれる。内かご側配管５ａは室外機４に接続され、外かご枠側配管５ｂは外かご枠１に固定され、配管５ａ，５ｂは互いに摺動自在に連結されている。【選択図】  図１
2005022772.tif 000002
【特許請求の範囲】
【請求項１】
外かご枠と、
この外かご枠内に上下方向に並んで配置され、各々が外かご枠に対して相対的に移動可能な一対の内かごと、
内かごに設置された室外機と、
室外機に接続され、上下方向に延びる内かご側配管と、
外かご枠に固定され上下方向に延びるとともに、内かご側配管に連結された外かご枠側配管とを備え、
内かご側配管と外かご側配管は、互いに相対移動自在に連結されていることを特徴とするエレベータの乗りかご。
【請求項２】
内かご側配管と外かご枠側配管との間の連結部に、抵抗が小さく柔軟性の高いシール材料を設けて、連結部に粉塵が侵入することを制限したことを特徴とする請求項１記載のエレベータの乗りかご。
【請求項３】
外枠かごの下部に室外機からの排水を受ける排水タンクを設けたことを特徴とする請求項１記載のエレベータの乗りかご。
【請求項４】
排水タンクに蒸散装置を設けたことを特徴とする請求項２記載のエレベータの乗りかご。
【請求項５】
内かご側配管と外かご枠側配管は、伸縮性部材を介して連結されていることを特徴とする請求項１記載のエレベータの乗りかご。
【請求項６】
内かごに、室外機と内かご側配管とに接続されたかごタンクを設置したことを特徴とする請求項１記載のエレベータの乗りかご。
【請求項７】
内かご側配管と外かご枠側配管は、対応する内かごが外かご枠に対して最も下方にきたときに互いに連結されることを特徴とする請求項６記載のエレベータの乗りかご。
【発明の詳細な説明】
【０００１】
【発明の属する技術分野】
本発明は室外機を備えたエレベータの乗りかごに係り、とりわけ外かご枠に対して相対移動可能な一対の内かごを備えたエレベータの乗りかごに関する。
【０００２】
【従来の技術】
図７に、従来のエレベータの乗りかごを示す。図７に示すように、エレベータの乗りかご１０は外かご枠１と、一対の内かご２ａ，２ｂとを備えている。内かご２ａ，２ｂは外かご枠１に対して固定されており、内かご２ａ，２ｂを階高に合わせて移動させる機構は持っていない。内かご２ａ，２ｂの内側に室内機３が取り付けられ、内かご２ａ，２ｂの外側に室外機４が取り付けられている。室外機４から排出される排水は、配管５により外かご枠１の下部に設置された排水タンク７へ導かれ、この配管５は、外かご枠１または内かご２ａ，２ｂにブラケット６で支持されている。配管５から排水タンク７へ導かれた排水は排水タンク７に貯められる。
【０００３】
なお、階間調整用ダブルデッキのエアコン配管に関しては、上下の内かごからの配管を互いに嵌め合わせて、下かごに設置された排水タンクに排水を導く方式も提案されている（例えば特許文献１参照）。
【０００４】
【特許文献１】
特開２００２−３６２８５９号公報
【０００５】
【発明が解決しようとする課題】
従来のエレベータの乗りかご１０のように、外かご枠１に内かご２ａ，２ｂが固定されている場合、室外機４からの配管５は外かご枠１もしくは内かご２ａ，２ｂの側部に可動部を持つことなく固定することができる。しかしながら、外かご枠１に対して内かご２ａ，２ｂが相対的に移動するエレベータかごにおいては一つの固定配管５では長さ調整機構がない為に、排水経路を確保することが不可能である。
【０００６】
また特開２００２−３６２８５９公報に記載された方式では配管の嵌め合いの長さが上下内かごの相対移動距離に余裕をみた長さとなるため、上下内かごがそれぞれ逆方向に移動する階間調整機構を存する場合、嵌め合い長さが長くなる。また排水タンクが下方の内かごに設けられているので、排水タンクに排水が貯まると下方の内かごが重くなり上下の内かごの重量バランスがくずれることがある。また排水タンクには一般的に排水電磁弁が設けられているため、騒音発生源が内かご近傍に設置されることになる。
【０００７】
本発明はこのような点を考慮してなされたものであり、外かご枠に対して移動可能な一対の内かごを有するエレベータの乗りかごにおいて、室外機からの排水を確実に外方へ導くことができるエレベータの乗りかごを提供することを目的とする。
【０００８】
【課題を解決するための手段】
本発明は、外かご枠と、この外かご枠内に上下方向に並んで配置され、各々が外かご枠に対して相対的に移動可能な一対の内かごと、内かごに設置された室外機と、室外機に接続され、上下方向に延びる内かご側配管と、外かご枠に固定され上下方向に延びるとともに、内かご側配管に連結された外かご枠側配管とを備え、内かご側配管と外かご側配管は、互いに相対移動自在に連結されていることを特徴とするエレベータの乗りかごである。
【０００９】
本発明は、内かご側配管と外かご枠側配管との間の連結部に、抵抗が小さく柔軟性の高いシール材料を設けて、連結部に粉塵が侵入することを制限したことを特徴とするエレベータの乗りかごである。
【００１０】
本発明は、外枠かごの下部に室外機からの排水を受ける排水タンクを設けたことを特徴とするエレベータの乗りかごである。
【００１１】
本発明は、排水タンクに蒸散装置を設けたことを特徴とするエレベータの乗りかごである。
【００１２】
本発明は、内かご側配管と外かご枠側配管は、伸縮性部材を介して連結されていることを特徴とするエレベータの乗りかごである。
【００１３】
本発明は、内かごに、室外機と内かご側配管とに接続されたかごタンクを設置したことを特徴とするエレベータの乗りかごである。
【００１４】
本発明は、内かご側配管と外かご枠側配管は、対応する内かごが外かご枠に対して最も下方にきたときに互いに連結されることを特徴とするエレベータの乗りかごである。
【００１５】
【発明の実施の形態】
第１の実施の形態
以下、図面を参照して本発明の実施の形態について説明する。図１および図２は本発明によるエレベータの乗りかごの第１の実施の形態を示す図である。
【００１６】
ここで図１はエレベータの乗りかごの側面図であり、図２（ａ）は図１のＡ部拡大図であり、図２（ｂ）は図２（ａ）のＸ−Ｘ線断面図であり、図２（ｃ）は図２（ａ）のＹ−Ｙ線断面図である。
【００１７】
図１および図２に示すように、エレベータの乗りかご１０は外かご枠１と、外かご枠１内に上下方向に並んで配置された内かご２ａ，２ｂとを備えている。このうち内かご２ａ，２ｂは図示しない階間調整機構により外かご枠１内で上下方向に移動できるようになっている。
【００１８】
また、内かご２ａ側内に空調用の室内機３が設置され、内かご２ａ外側に空調用の室外機４が設置されている。この場合、室内機３と室外機４とを一体に構成することにより、室内機３と室外機４に蒸散機能をもたせてもよい。さらに室外機４から生じた排水は、室外機４に接続されるとともに上下方向に延びる内かご側配管５ａにより導かれ、内かご側配管５ａ内の排水はさらに外かご枠側配管５ｂを経て外かご枠１の下部に設けられた排水タンク７へ導かれるようになっている。
【００１９】
このうち外かご枠側配管５ｂは、外かご枠１に固定されるとともに上下方向に延び、内かご側配管５ａは外かご枠側配管５ｂに摺動自在に連結されている。
【００２０】
図１および図２に示すように、上方の内かご２ａに室内機３、室外機４を設置するとともに、内かご２ａ側の室外機４と排水タンク７とが内かご側配管５ａおよび外かご枠側配管５ｂにより接続されている。図１および図２において、図示は省略するが、下方の内かご２ｂについても上方の内かご２ａと同様に室内機３および室外機４が設置され、下方の内かご２ｂの室外機４と排水タンク７との間は内かご側配管５ａおよび外かご枠側配管５ｂにより接続されている。
【００２１】
このように内かご２ａと内かご２ｂとは同一の構成となっているので、以下内かご２ａの構成のみ説明する。
【００２２】
次に内かご側配管５ａと外かご枠側配管５ｂとの連結関係について述べる。
【００２３】
内かご２ａの室外機４から排水された排水は、内かご２ａにブラケット６で固定された内かご側配管５ａと、外かご枠１にブラケット６で固定された外かご枠側配管５ｂを介して、排水タンク７へ導かれる。この場合、内かご側配管５ａと外かご枠側配管５ｂは、外かご枠１に対する内かご２ａの相対移動量に内かご２ａのオーバーラン距離等の余裕をみた長さ９をもって互いに嵌め合わされている。内かご側配管５ａは外かご枠側配管５ｂより小径になっており、これにより配管５ａ，５ｂは互いに嵌め合いが外れることなく、また排水が外部にもれることなく排水を外かご枠１の下部に設置された排水タンク７に導くことができる。また外かご枠側配管５ｂの上部には低摩擦で柔軟性のあるパッキン（シール材料）８が外かご枠側配管５ａとの隙間を塞ぐように取り付けられている。このパッキン８はスポンジ状の合成樹脂からなっている。排水タンク７には蒸散装置１５が設けられており、排水タンク７に貯まった排水は蒸気となって、外方へ放出される。このため排水タンク７内の排水を昇降路のピットにすてる必要はなく、ピットの汚れを防止できる。
【００２４】
なお、図２（ａ）は内かご２ａが外かご枠１に対して最も下方にきたときの状態を示す図である。
【００２５】
以上のように本実施の形態によれば、内かご２ａ，２ｂが外かご枠１に対して相対移動する場合でも、内かご２ａ，２ｂに取り付けられた室外機４からの排水を外に漏れることなく、外かご枠１の下部に設置された排水タンク７に導くことができる。また上下の内かご２ａ，２ｂを配管で連結する構成と異なり、配管５ａ，５ｂの連結部の長さが、内かご２ａ，２ｂの移動量に余裕をみた長さで十分となる。このため配管５ａ，５ｂの芯出し調整が容易になり、また排水タンク７を外かご枠１の下部に設置したので、排水タンク７に取り付けられた電磁弁等の騒音源を内かご２ａ，２ｂから引離すことができ、かご内騒音を低減することができる。
【００２６】
また、内かご側配管５ａと外かご枠側配管５ｂとの間の連結部にパッキン８を設けたので、配管５ａ，５ｂ内に粉塵が入ることはなく、保守が容易になる。
【００２７】
さらに、排水タンク７内の排水を蒸散装置１５により蒸散することができるため、排水タンク７から後の排水処理は不要となる。
【００２８】
第２の実施の形態
次に図３および図４により、本発明の第２の実施の形態について説明する。ここで図４は図３のＢ部拡大図である。図３および図４に示す第２の実施の形態は、内かご２ａに接続された内かご側配管５ａと外かご側配管５ｂとを伸縮性のある伸縮性部材１１を介して連結したものである。伸縮性部材１１は合成樹脂製のじゃばら体からなり、その伸縮可能量は内かご２ａと外かご枠１の相対移動量に余裕をみた長さとなっている。また外かご枠側配管５ｂは、それ自体が排水を貯めるタンクとなっており、下部に排水弁（不図示）を有している。このため外かご枠１から排水タンク７が取り除かれている。
【００２９】
図３および図４に示す第２の実施の形態において、図１および図２に示す第１の実施の形態と同一部分には同一符号を付して詳細な説明は省略する。
【００３０】
また、内かご２ｂ側の構成も図示しないが、内かご２ａ側の構成と略同一となっている。
【００３１】
本実施の形態によれば、内かご２ａ，２ｂが外かご枠１に対して相対移動する場合、内かご２ａ，２ｂに取り付けられた室外機４の排水を外に漏れることなく外方へ導くことができる。
【００３２】
第３の実施の形態
次に図５および図６により、本発明の第３の実施の形態について説明する。ここで図６は図５のＣ部拡大図である。
【００３３】
図５および図６に示す第３の実施の形態は、内かご２ａに、室外機４に接続されたかごタンク７ａを設けるとともに、このかごタンク７ａに内かご側配管５ａを接続したものである。このようにして室外機４から生じる排水は、かごタンク７ａ内に一時的に貯留される。
【００３４】
また外かご枠側配管５ｂの上端部にトイ１２が設けられており、外かご枠１に対して内かご２ａが最下方にきたとき、内かご２ａ側の内かご側配管５ａの下端部が外かご枠側配管５ｂのトイ１２内に挿入される（図６）。
【００３５】
内かご２ａが外かご枠１に対して最下方にきて、内かご側配管５ａの下端部が外かご枠側配管５ｂのトイ１２内に挿入されたとき、かごタンク７ａ内に貯留された排水が内かご側配管５ａおよび外かご枠側配管５ｂを経て排水タンク７へ導かれる。
【００３６】
図５および図６に示す第３の実施の形態において、図１および図２に示す第１の実施の形態と同一部分には同一符号を付して詳細な説明は省略する。
【００３７】
また内かご２ｂ側の構成も図示しないが、内かご２ａ側の構成と同一となっている。
【００３８】
本実施の形態によれば、内かご２ａ，２ｂの投影面外にかごタンク７ａを配置することにより、外かご枠１の高さを小さく抑えることができる。
【００３９】
また上下の内かご２ａ，２ｂにおいてほぼ同じ量の排水量が発生すると考えた場合、内かご２ａ，２ｂにおいて重量が変化しても、上下の内かご２ａ，２ｂの重量バランスを保つことができる。さらに、内かご２ａ，２ｂが外かご枠１に対して相対移動する場合、内かご２ａ，２ｂに取り付けられた室外機４の排水を外に漏れることなく、外かご枠１の下部に設けられた排水タンクに導くことができる。また２つの配管５ａ，５ｂの嵌め合い長さ９を小さくできる為、芯出しが容易となり、２つの配管５ａ，５ｂの接触による摺動音の発生を防止できる。
【００４０】
【発明の効果】
以上のように本発明によれば、外かご枠１に対して相対移動する一対の内かごに取り付けられた室外機から生じる排水を、漏れることなく確実に外方へ導くことができる。
【図面の簡単な説明】
【図１】本発明によるエレベータの乗りかごの第１の実施の形態を示す図。
【図２】配管の連結部分を示す詳細図。
【図３】本発明によるエレベータの乗りかごの第２の実施の形態を示す図。
【図４】図３のＢ部拡大図。
【図５】本発明によるエレベータの乗りかごの第３の実施の形態を示す図。
【図６】図４のＣ部拡大図。
【図７】従来のエレベータの乗りかごを示す図。
【符号の説明】
１  外かご枠
２ａ，２ｂ  内かご
３  室内機
４  室外機
５ａ  内かご側配管
５ｂ  外かご枠側配管
７  排水タンク
７ａ  かごタンク
８  パッキン
１１  伸縮性部材
１２  トイ
１５  蒸散装置
【図１】
2005022772.tif 000003
【図２】
2005022772.tif 000004
【図３】
2005022772.tif 000005
【図４】
2005022772.tif 000006
【図５】
2005022772.tif 000007
【図６】
2005022772.tif 000008
【図７】
2005022772.tif 000009